(57)【要約】【課題】切断刃ユニットの組み立てに要する手間および時間を低減して、製造コストを軽減できるようにする。【解決手段】センター刃５が、下端面を開放した左右横長のセンター外刃６１と、センター外刃６１の内面に沿って摺接する左右横長のセンター内刃６２と、センター内刃６２を支持する内刃ホルダー６３と、外刃６１の下端を受け止める外刃補強枠６５とを備えている。外刃補強枠６５には、内刃ホルダー６３を介してセンター内刃６２をセンター外刃６１の内面に押し付け付勢する内刃押付ばね１０９と、切断刃ユニット５を押し上げ付勢するユニット押上ばね１１０とが一体に設けられている。【選択図】図１
2008000296.tif 000002
【特許請求の範囲】
【請求項１】
切断刃ユニット（５）が、下端面を開放した左右横長の外刃（６１）と、外刃（６１）の内面に沿って摺接する左右横長の内刃（６２）と、内刃（６２）を支持する内刃ホルダー（６３）と、外刃（６１）の下端を受け止める外刃補強枠（６５）とを備えており、
外刃補強枠（６５）には、内刃ホルダー（６３）を介して内刃（６２）を外刃（６１）の内面に押し付け付勢する内刃押付ばね（１０９）と、切断刃ユニット（５）を押し上げ付勢するユニット押上ばね（１１０）とが一体に設けられていることを特徴とする電気かみそり。
【請求項２】
外刃補強枠（６５）は、外刃（６１）の左右両端部間にわたって延設されており、
外刃（６１）の左右両側には、左右一対の側端ピース（６６）・（６６）がそれぞれ配されており、
外刃補強枠（６５）と外刃（６１）とが、両側端ピース（６６）・（６６）によって結合されることで、外刃補強枠（６５）が内刃押付ばね（１０９）および内刃ホルダー（６３）を介して内刃（６２）を支持した状態で、外刃補強枠（６５）と外刃（６１）と内刃（６２）と内刃ホルダー（６３）とがユニット化する請求項１記載の電気かみそり。
【請求項３】
各側端ピース（６６）の前後側面には、ピン（７５）が突設しており、
外刃（６１）は、刃部分（７０）と、刃部分（７０）の前後端から下向きに延出する支持部分（７１）とを備えており、
外刃（６１）の支持部分（７１）には、各側端ピース（６６）のピン（７５）がそれぞれ係合できる係合部（７６）が形成されており、
外刃補強枠（６５）には、各側端ピース（６６）のピン（７５）がそれぞれ係合できる係合部（１０７）が形成されており、
各側端ピース（６６）のピン（７５）が、外刃（６１）の係合部（７６）と、外刃補強枠（６５）の係合部（１０７）とをそれぞれ突き抜けた状態に係合することで、側端ピース（６６）を介して外刃補強枠（６５）と外刃（６１）とが結合する請求項２記載の電気かみそり。
【請求項４】
外刃（６１）の支持部分（７１）の左右両端には、それぞれ側端ピース（６６）に設けた横溝（１２０）に係合される連結爪（１１９）が形成されており、
外刃補強枠（６５）の左右両端には、それぞれ側端ピース（６６）に設けた係合部（１２２）に係合される連結片（１２１）が形成されており、
外刃（６１）の連結爪（１１９）が側端ピース（６６）の横溝（１２０）に係合されるとともに、外刃補強枠（６５）の連結片（１２１）が側端ピース（６６）の係合部（１２２）に係合されることで、側端ピース（６６）を介して外刃補強枠（６５）と外刃（６１）とが結合する請求項２記載の電気かみそり。
【請求項５】
ユニット押上ばね（１１０）は、内刃押付ばね（１０９）よりも切断刃ユニット（５）の左右方向の外側に配されている請求項１又は２又は３又は４記載の電気かみそり。
【発明の詳細な説明】
【技術分野】
【０００１】
本発明は、癖髭などでも確実に剃ることができる往復動式の切断刃ユニットを備えた電気かみそりに関する。切断刃は、スリット刃、櫛歯または鋸状刃を切断要素にして構成してある。
【背景技術】
【０００２】
この種の切断刃ユニットは、特許文献１・２に示すごとく、左右横長の外刃と、外刃の内面に沿って摺接する左右横長の内刃と、内刃を支持する内刃ホルダーとを備えており、内刃ホルダーを介して内刃が左右方向に往復駆動されることによって髭を切断する。
【０００３】
前記切断刃ユニットでは、内刃が、板ばねなどによって外刃の内面に常に押し付けられた状態で左右方向に往復動している。また、特許文献２では、切断刃ユニット全体をばねなどの弾性体で押し上げ付勢しており、これによって切断刃ユニットが左右に大きく傾いて切断刃ユニットの下方に配された保持板などに当たって、騒音が発生することなどを防いでいる。
【０００４】
【特許文献１】特開平９−２５３３５３号公報（図１−２）
【特許文献２】特開平６−１８２０６４号公報（図１）
【発明の開示】
【発明が解決しようとする課題】
【０００５】
特許文献１・２では、前記内刃を外刃の内面に押し付けるばねや、前記切断刃ユニットを押し上げ付勢するばねが、切断刃ユニットと独立しており、その分だけ電気かみそりの組み立てに手間および時間が掛かるうえに、部品点数が多くなって部品管理の手間などが増えるところに問題がある。
【０００６】
そこで本発明の目的は、切断刃ユニットの組み立てに要する手間および時間を低減して、製造コストを軽減できる電気かみそりを提供することにある。
【課題を解決するための手段】
【０００７】
本発明の電気かみそりは、図１および図７に示すごとく、切断刃ユニット５が、下端面を開放した左右横長の外刃６１と、外刃６１の内面に沿って摺接する左右横長の内刃６２と、内刃６２を支持する内刃ホルダー６３と、外刃６１の下端を受け止める外刃補強枠６５とを備えている。外刃補強枠６５には、内刃ホルダー６３を介して内刃６２を外刃６１の内面に押し付け付勢する内刃押付ばね１０９と、切断刃ユニット５を押し上げ付勢するユニット押上ばね１１０とが一体に設けられている。外刃補強枠６５は、図１１に示すごとく複数個に分割されていてもよい。外刃補強枠６５に対して内刃押付ばね１０９とユニット押上ばね１１０とをそれぞれ１個ずつ設けてもよく、複数個ずつ設けてもよい。
【０００８】
具体的には、外刃補強枠６５は、外刃６１の左右両端部間にわたって延設されており、外刃６１の左右両側には、左右一対の側端ピース６６・６６がそれぞれ配されており、外刃補強枠６５と外刃６１とが、両側端ピース６６・６６によって結合されることで、外刃補強枠６５が内刃押付ばね１０９および内刃ホルダー６３を介して内刃６２を支持した状態で、外刃補強枠６５と外刃６１と内刃６２と内刃ホルダー６３とがユニット化する。
【０００９】
詳しくは、各側端ピース６６の前後側面にピン７５が突設しており、外刃６１は、刃部分７０と、刃部分７０の前後端から下向きに延出する支持部分７１とを備えている。外刃６１の支持部分７１に、各側端ピース６６のピン７５がそれぞれ係合できる係合部７６を形成し、外刃補強枠６５に、各側端ピース６６のピン７５がそれぞれ係合できる係合部１０７を形成する。そして、各側端ピース６６のピン７５が、外刃６１の係合部７６と外刃補強枠６５の係合部１０７とをそれぞれ突き抜けた状態で係合することで、側端ピース６６を介して外刃補強枠６５と外刃６１とが結合する。
【００１０】
変形例としては、図１３および図１４に示すごとく、外刃６１の支持部分７１の左右両端に、それぞれ側端ピース６６に設けた横溝１２０に係合される連結爪１１９が形成されており、外刃補強枠６５の左右両端に、それぞれ側端ピース６６に設けた係合部１２２に係合される連結片１２１が形成されており、外刃６１の連結爪１１９が側端ピース６６の横溝１２０に係合されるとともに、外刃補強枠６５の連結片１２１が側端ピース６６の係合部１２２に係合されることで、側端ピース６６を介して外刃補強枠６５と外刃６１とが結合するようにしてもよい。
【００１１】
ユニット押上ばね１１０は、内刃押付ばね１０９よりも切断刃ユニット５の左右方向の外側に配されていると、外刃６１の左右両端側に外力が加わってもがたつき難くなる。
【発明の効果】
【００１２】
本発明によれば、外刃６１の下端を受け止める外刃補強枠６５を付加した分だけ、外刃６１の構造強度を増強して、外刃６１が曲げ変形され、あるいはねじれ変形するのを確実に防止できる。そのうえで、外刃補強枠６５に、ユニット押上ばね１１０と内刃押付ばね１０９とを一体に設けたので、その分だけ切断刃ユニット５の組み立てに要する手間および時間を大幅に軽減できるとともに、ユニット押上ばね１１０や内刃押付ばね１０９を別体にする場合に比して部品点数を減らすことができる。これによって、切断刃ユニット５の製造コストを削減できる。
【００１３】
外刃補強枠６５と外刃６１とを側端ピース６６・６６によって結合すると、接着などの作業を行わなくても、これらを組み立てるだけで外刃補強枠６５と外刃６１とを一体化でき、その分だけ切断刃ユニット５の組み立てに要する手間などをより軽減できる。
【００１４】
ユニット押上ばね１１０が内刃押付ばね１０９よりも切断刃ユニット５の左右方向の外側に配されて、外刃６１の左右両端側に外力が加わってもがたつき難くなると、切断刃ユニット５が傾いて、その下側の支持枠９０などに当たってしまうことを低減できる。つまり、ユニット押上ばね１１０によって切断刃ユニット５に上下の弾力性を持たせながら、切断刃ユニット５が傾いて支持枠９０などに当たって破損することなどを防止できる。
【発明を実施するための最良の形態】
【００１５】
（実施例１）  図１ないし図１０は、本発明に係る電気かみそりの実施例１を示す。電気かみそりは、図２に示すごとく、グリップを兼ねる本体部１と、本体部１の上方に配置されるヘッド部２とを備えている。ヘッド部２は、図５に示すごとく、コイルばねなどからなるフロート機構１９を介して本体部１に取り付けてあり、ヘッド部２の全体が前後、左右、上下および斜め方向の全方位方向へ首振りできる状態で支持されている。
【００１６】
ヘッド部２は、図２ないし図４に示すごとく、前後一対のロータリー式のメイン刃３・３と、両メイン刃３・３の間に配置される往復動式のセンター刃（切断刃ユニット）５と、メイン刃３やセンター刃５などの駆動源となる横置きのモーター６と、モーター６の駆動力をメイン刃３やセンター刃５などに伝達する駆動機構７と、これらの部材を収容するヘッドケース９および前後一対のカバー１０・１０と、ヘッドケース９に対して着脱可能に装着される内刃ユニット１１および外刃ユニット１２などを有する。各メイン刃３は主に短い髭を切断し、センター刃５は主に長い髭を切断する。
【００１７】
本体部１は、二次電池１３・１３および制御回路基板１５などを収容した液密構造の内ケース（図示していない）を前後から覆う前後カバー１６・１７と、前カバー１６の上下に組み付けられる表示パネル２０およびスイッチパネル２１などを有する。後カバー１７の上部背面には、きわ剃刃ユニット２２が組み込まれている。きわ剃刃ユニット２２は、それぞれ鋸刃状の切刃を備えた固定刃および可動刃を備えており、可動刃が駆動機構７を介して前記モーター６で往復駆動される。
【００１８】
表示パネル２０は、半透明のハーフミラーなどで形成してあって、電気かみそりの使用時にはモーター６の稼動状態や運転モードなどを表示し、不使用時にはひげそり結果を確認するための鏡として使用することができる。スイッチパネル２１には、モーター６を起動あるいは停止させるための押しボタンスイッチ２３と、モーター６の運転モードを切り換える押しボタンスイッチ２５などが配されている。
【００１９】
各メイン刃３は、図６に示すごとく、ステンレス製の薄板状の網刃からなるメイン外刃２６と、ステンレス製の薄板状の小刃２７を有するメイン内刃２９とで構成される。外刃ユニット１２は、図４および図６に示すごとく、上下面がそれぞれ開口する外刃ホルダー３０と、外刃ホルダー３０の上部に着脱可能に装着される刃体ユニット３１とを有する。
【００２０】
刃体ユニット３１は、前後方向に逆Ｕ字状に保形された前後一対の前記メイン外刃２６・２６と、前記センター刃５と、上下面が開口していてその上面開口に前記メイン外刃２６・２６およびセンター刃５を配する外刃フレーム３２とを有する。外刃フレーム３２の内面の前後には、各メイン外刃２６の前後外側の端部がそれぞれ固定される。
【００２１】
ヘッドケース９の左右両側には、図４および図５に示すごとく、外刃ユニット１２をロック保持するためのロック体３３・３３をそれぞれ配してある。各ロック体３３は、上側に延出する係合爪３６を有するとともに、ばね３７でヘッドケース９の左右方向の外側へ付勢されている。この付勢によって各ロック体３３の係合爪３６が、外刃ユニット１２の外刃ホルダー３０の内面の左右にそれぞれ形成した係合凹部３９に係合する。各ロック体３３をばね３７の付勢力に抗して押し込み操作すると、係合爪３６が外刃ホルダー３０の係合凹部３９から外れて、外刃ユニット１２をヘッドケース９から取り外すことができる。
【００２２】
外刃ホルダー３０の左右両側には、刃体ユニット３１をロック保持するためのロックボタン４０・４０をそれぞれ設けてある。ロックボタン４０・４０を押し込み操作することで、刃体ユニット３１を外刃ホルダー３０から押し出すことができる。
【００２３】
内刃ユニット１１は、左右横長のベース壁４２の左右両側に中空状の軸受壁４３・４３をそれぞれ起立形成した内刃フレーム４５と、前記軸受壁４３・４３の上部に横置き状に配置される前後一対の前記メイン内刃２９・２９と、一方の軸受壁４３内（図４の左側）に配される上下一対のギヤ４６・４６などを有する。
【００２４】
ギヤ４６・４６は、駆動機構７のギヤ４７に連結されるようになっており、モーター６の駆動力が、駆動機構７およびギヤ４６・４６を介してメイン内刃２９・２９に伝達される。内刃ユニット１１のベース壁４２の下面の左右には、係止凹部４９がそれぞれ設けられており、各係止凹部４９に、ヘッドケース９の上面部に配したロック爪５０が着脱自在に係止される。
【００２５】
ヘッドケース９の上面の左右両側には、前記ギヤ４７に連結する駆動機構７の一部を覆うカバー５１と、前後ロック爪５０を係止凹部４９から外すための解除機構５２の一部を覆うカバー５３とがそれぞれ起立状に形成してある。カバー５３の外面側には、解除機構５２でロック爪５０の前記係止を解除させるための解除ボタン５５が突出している。解除ボタン５５を押し込み操作することで、ロック爪５０が係止凹部４９から外れて、内刃ユニット１１をヘッドケース９から取り外すことができる。
【００２６】
各メイン内刃２９は、図６に示すごとく、１２枚の前記小刃２７を円柱状の樹脂基台５６に対してスパイラル状に埋め込んであり、各小刃２７は、メイン内刃２９の中心軸に対して斜めに傾いた状態に配される。駆動機構７は、減速機構、プーリー、タイミングベルトおよび前記ギヤ４７などを有しており、モーター６の回転を減速して各メイン内刃２９に伝達する。各メイン内刃２９は、横軸回りに回転駆動され、これによってメイン内刃２９がメイン外刃２６と協同して髭を切断する。
【００２７】
センター刃５は、図６および図７に示すごとく、下端面を開放した逆樋状に形成される左右横長のセンター外刃６１と、センター外刃６１の内面に沿って摺接する左右横長のセンター内刃６２と、センター内刃６２を支持する内刃ホルダー６３と、センター外刃６１の下端部を受け止める外刃補強枠６５と、センター外刃６１の左右両側にそれぞれ取り付けられる左右一対の側端ピース６６・６６などを備えており、これらの部品を組むことにより１個のユニット部品とすることができる。各側端ピース６６は、プラスチック成形品からなる。外刃補強枠６５は、ステンレス板材などの金属製板材を素材にしてプレス加工することで形成される。
【００２８】
センター外刃６１は、櫛刃状の複数の切刃６９を形成してある刃部分７０と、刃部分７０の前後端から下向きに延出して刃部分７０を支持する前後一対の支持部分７１・７１とを一体に備えており、エッチング法で形成したシート状の刃ブランクにプレス加工を施して形成する。
【００２９】
前記切刃６９は、刃部分７０の前後中央の基枠７２の前後両縁に対してそれぞれ左右方向に並べて形成してある。センター外刃６１の全体が、断面逆台形状に折り曲げてあり、図６に示すごとく基枠７２を含む刃部分７０の上面がほぼ平面になっている。刃部分７０の左右両端部は、外刃フレーム３２の上端左右にそれぞれ載っている（図１参照）。
【００３０】
左右の側端ピース６６・６６の前後の各側面には、図７に示すごとく、それぞれ左右一対のピン７５が突設してある。センター外刃６１の各支持部分７１の左右両端には、それぞれ左右一対の係合部７６が切り欠き形成してある。各係合部７６は、図７および図８に示すごとく、支持部分７１の下端から上方へ延びたのちに屈曲して、左右方向の中央側へ延びる嵌合溝部７６ａを形成してある。
【００３１】
各側端ピース６６の各ピン７５が、各係合部７６の下端から嵌合溝部７６ａに入り込んで係合することで、側端ピース６６が、上下方向の動きを規制した状態で係合部７６に取り付けられる。この状態で各ピン７５は、図９および図１０に示すごとく、その先端部がセンター外刃６１の支持部分７１の外側へ突き抜けている。
【００３２】
センター内刃６２は、図７に示すごとく、エッチング法で複数の切刃７７を鋸刃状に形成してある。つまり、各切刃７７は、センター内刃６２の前後中央の基枠７９の前後両縁に対してそれぞれ左右方向に並べて形成してある。センター内刃６２は、基枠７９の左右両端からそれぞれ斜め下向きに折れ曲がる連結爪８０・８０を一体に備えている。センター内刃６２における支持部分は連結爪８０・８０が兼ねている。センター外刃６１およびセンター内刃６２は、それぞれステンレス板材を素材にして形成してあり、センター外刃６１の厚み寸法を0.３５mmとするとき、センター内刃６２の厚み寸法は0.３mmとした。
【００３３】
内刃ホルダー６３は、図７および図８に示すごとく、左右寸法がセンター内刃６２より僅かに大きな横長のプラスチック成形品からなり、その下面中央に駆動機構７の駆動ピース８１（図５参照）と係合する門形の受動ピース８２が下向きに突出形成してある。内刃ホルダー６３の上面には、センター内刃６２を受け止め支持するための４個の突起８３が形成されており、左右両側の各突起８３につながる各凸部８５の上面には、センター内刃６２の連結爪８０を差し込み係合するための係合孔８６がそれぞれ開口している。
【００３４】
内刃ホルダー６３の左右両端の下面には、左右横長の凸条部８７がそれぞれ形成されており、各凸条部８７が、図９および図１０に示すごとく、各側端ピース６６の上面に形成した左右横長の溝８９にそれぞれ嵌合する。
【００３５】
刃体ユニット３１の外刃フレーム３２には、図６に示すごとく、各メイン外刃２６の前後内側の端部をそれぞれ固定するための支持枠９０が取り付けられる。支持枠９０は、図１および図４に示すごとく、左右方向の中央に内刃ホルダー６３の受動ピース８２が挿通する左右横長の孔９１を設けた上壁９２と、上壁９２の前後縁から下向きに折れ曲がる前後側壁９３・９３と、各側端ピース６６の左右外側に形成した係止突起９５が係合する係合孔９６をそれぞれ設けた左右側壁９７・９７とを一体に備えている。係合孔９６の上下寸法は係止突起９５の上下寸法よりも大きくなっていて、センター刃５が上下揺動可能な状態で上方への抜け止めが図られている。
【００３６】
支持枠９０の下端には、保護プレート９９が着脱可能に装着される。つまり、保護プレート９９の左右両端には、複数の上向きの係止爪１００が設けられており、各係止爪１００が、支持枠９０の前後側壁９３・９３の左右両端に形成した切り欠き１０１にそれぞれ係止されることで、保護プレート９９が支持枠９０に装着される（図１の状態）。支持枠９０の左右両端には、係止片１０２がそれぞれ外向きに突出形成してある。係止片１０２によって支持枠９０が、外刃フレーム３２に係止される。
【００３７】
各側端ピース６６は、図７に示すごとく、前記ピン７５と、前記溝８９と、前記係止突起９５とを有しており、側端ピース６６・６６によって外刃補強枠６５がセンター外刃６１の下端に外嵌装着されて、外刃補強枠６５とセンター外刃６１とが結合する。外刃補強枠６５は、センター外刃６１の左右両端部間にわたって延設され、底壁１０５と、底壁１０５の前後縁から上向きに折れ曲がる前後側壁１０６・１０６と、前後側壁１０６・１０６の左右両端部にそれぞれ設けた左右一対の係合孔１０７とを有している。
【００３８】
各側端ピース６６の各ピン７５が、図９および図１０に示すごとく、センター外刃６１の各係合部７６を介して前後側壁１０６・１０６の各係合孔１０７に係合することで、センター外刃６１に外刃補強枠６５が装着される。各ピン７５は、突き抜けた状態で各係合孔１０７に係合している。
【００３９】
外刃補強枠６５の底壁１０５の左右両側には、図１および図８に示すごとく、内刃ホルダー６３を介してセンター内刃６２をセンター外刃６１の内面に押し付け付勢する左右一対の内刃押付ばね１０９・１０９と、センター刃５を押し上げ付勢する左右一対のユニット押上ばね１１０・１１０とが一体に設けられている。
【００４０】
左右の内刃押付ばね１０９・１０９は、斜め上方向に立ち上がって内刃ホルダー６３の下面に当接しており、左右のユニット押上ばね１１０・１１０は、左右の内刃押付ばね１０９・１０９よりもセンター刃５の左右方向の外側に配されている。左右のユニット押上ばね１１０・１１０は、斜め下方向に延びて支持枠９０の上壁９２の上面に当接している。つまり、左右のユニット押上ばね１１０・１１０どうしの間隔が大きくなって、センター刃５の傾きをユニット押上ばね１１０・１１０でしっかりと受け止めて、センター刃５の傾きを確実に抑えることができる。
【００４１】
外刃補強枠６５の底壁１０５の左右両側であって、内刃押付ばね１０９とユニット押上ばね１１０との間には、図７および図８に示すごとく、各側端ピース６６の下面に形成した係合突起１１１がそれぞれ係合する係合孔１１２が形成されている。各側端ピース６６の係合突起１１１が外刃補強枠６５の係合孔１１２に係合することで、各側端ピース６６の左右方向へのずれ動きが規制される。外刃補強枠６５の底壁１０５の左右中央には、内刃ホルダー６３の受動ピース８２が挿通する左右横長の孔１１３を設けてある。
【００４２】
センター刃５の組み立ては以下の手順で行う。まず、センター内刃６２の左右の連結爪８０・８０を内刃ホルダー６３の左右の係合孔８６・８６にそれぞれ差し入れて、内刃ホルダー６３の上面にセンター内刃６２を装着する。また、センター外刃６１の左右の一方側の係合部７６・７６に一方の側端ピース６６のピン７５・７５を嵌合する。
【００４３】
次いで、センター内刃６２を取り付けた内刃ホルダー６３の左右の一方側の凸条部８７を、前記一方の側端ピース６６の上面の溝８９に嵌合させながら、センター外刃６１の内面にセンター内刃６２を沿わせる。この後、センター外刃６１の他方側の係合部７６・７６に他方の側端ピース６６のピン７５・７５を嵌合させて、内刃ホルダー６３の他方側の凸条部８７を、他方の側端ピース６６の上面の溝８９に嵌合させる。
【００４４】
そして、前記センター外刃６１に両側端ピース６６・６６を取り付けたのちに、外刃補強枠６５がセンター外刃６１に装着される。つまり、センター外刃６１の支持部分７１・７１の下端部に外刃補強枠６５の前後側壁１０６・１０６が外嵌するように、外刃補強枠６５をセンター外刃６１および両側端ピース６６・６６の下方から押し込む。すると、外刃補強枠６５の前後側壁１０６・１０６が、前後方向に広がるように弾性変形して側端ピース６６・６６の各ピン７５を乗り越え、次いで弾性復元力で外刃補強枠６５の各係合孔１０７が各ピン７５にパチンと嵌まり込む。このとき、外刃補強枠６５の係合孔１１２・１１２には、各側端ピース６６の係合突起１１１がそれぞれ係合し、外刃補強枠６５の底壁１０５の孔１１３には、内刃ホルダー６３の受動ピース８２が挿通する。
【００４５】
この状態で、各側端ピース６６は、センター外刃６１に対して上下左右に動くことなくしっかりと固定される。また、センター外刃６１の前後の支持部分７１・７１の間に側端ピース６６・６６が位置し、その支持部分７１・７１の外側に外刃補強枠６５の前後側壁１０６・１０６が覆い被さっていて、その外刃補強枠６５の弾性力で前後側壁１０６・１０６が側端ピース６６・６６に臨む支持部分７１・７１を押圧する。これによって、センター外刃６１の支持部分７１・７１が前後方向に動くことがなく、したがってセンター外刃６１が歪むことを確実に防止でき、センター刃５の切れ味の低下を防止できる。
【００４６】
このように、外刃補強枠６５とセンター外刃６１とが、両側端ピース６６・６６によって結合され、外刃補強枠６５が内刃押付ばね１０９および内刃ホルダー６３を介してセンター内刃６２を支持した状態で、センター外刃６１とセンター内刃６２と内刃ホルダー６３と左右の側端ピース６６・６６と外刃補強枠６５とが一体化（ユニット化）する。このセンター刃５の組み立てに、接着剤などの使用を必要としないために前記組み立てに要する手間などを軽減できることになる。
【００４７】
前記センター刃５を刃体ユニット３１に装着したときには、外刃補強枠６５の左右のユニット押上ばね１１０・１１０が支持枠９０の上壁９２の上面に当接する。この刃体ユニット３１を外刃ユニット１２に装着してヘッドケース９に組み付けたときには、駆動機構７の駆動ピース８１が内刃ホルダー６３の受動ピース８２に係合する。この状態で、モーター６によってセンター内刃６２が、センター外刃６１の内面に沿って左右往復駆動されるようになる。
【００４８】
（実施例２）  実施例２では、図１１に示すごとく、外刃補強枠６５を左右一対の小補強枠１１５・１１５に分割している。各小補強枠１１５は、前記内刃押付ばね１０９と、ユニット押上ばね１１０と、係合孔１１２と、前後４個の係合孔１０７とを設けてある。そして、各小補強枠１１５は、実施例１と同様に、各側端ピース６６を介してセンター外刃６１の下端の左右両端にそれぞれ装着される。
【００４９】
各小補強枠１１５の左右長さ寸法は、側端ピース６６の左右長さ寸法程度に設定してある。各小補強枠１１５のユニット押上ばね１１０は、実施例１と同様に、センター刃５において内刃押付ばね１０９よりも左右方向の外側になっている。その他の点は、実施例１と同じであるので説明を省略する。
【００５０】
（実施例３）  実施例３では、図１２に示すごとく、外刃補強枠６５のユニット押上ばね１１０と内刃押付ばね１０９とを連続状に形成してあり、これによってユニット押上ばね１１０と内刃押付ばね１０９とが一続きのばねになっている。実施例３でも、ユニット押上ばね１１０は、実施例１と同様に、センター刃５において内刃押付ばね１０９よりも左右方向の外側になっている。その他の点は、実施例１と同じであるので説明を省略する。
【００５１】
（実施例４）  実施例４では、図１３および図１４に示すごとく、センター外刃６１の支持部分７１・７１の左右両端には、それぞれ側端ピース６６・６６の前後側面に設けた横溝１２０に係合される連結爪１１９を左右方向の外側にそれぞれ延出形成させてある。また、外刃補強枠６５の前後側壁１０６・１０６の左右両端には、それぞれ側端ピース６６・６６の前後側面に設けた係止部１２２に係合される連結片１２１を左右方向の外側にそれぞれ延出形成させてある。
【００５２】
そして、センター外刃６１の各連結爪１１９を各側端ピース６６の横溝１２０に係合し、各側端ピース６６の各係止部１２２に外刃補強枠６５の各連結片１２１を係合させることで（図１４の状態）、側端ピース６６・６６を介してセンター外刃６１と外刃補強枠６５とが結合する。その他の点は、実施例１と同じであるので説明を省略する。
【００５３】
図１５および図１６に示すごとく、外刃補強枠６５をセンター外刃６１の支持部分７１・７１の下端にスポット溶接などで溶接してもよい。この場合、左右の側端ピース６６・６６を省略できることになる。なお、図１５において、外刃補強枠６５の左右両端には、側端ピース６６の係止突起９５に相当する係止凸部１２３がそれぞれ一体に形成される。
【００５４】
また、図１７に示すごとく、外刃補強枠６５を平板状に形成して、センター外刃６１の支持部分７１・７１の下端に溶接してもよい。
【００５５】
前記各実施例では、センター刃５が前後一対のメイン刃３・３の間に配置してある場合を例示したが、センター刃５は、メイン刃３・３の前後方向の外側に配置してもよい。また、センター刃５は、ヘッド部１２に組み込む必要はなく、本体ケース１に組むこともできる。その場合には、メイン刃３・３の前後方向のいずれか一側に隣接する膨出壁を本体ケース１の上部に形成し、この膨出壁にセンター刃５を組み込むとよい。
【００５６】
メイン刃３・３をセンター刃５と同様のスリット刃や櫛刃などで構成してもよい。外刃補強枠６５はプラスチック成形品で構成することができる。センター外刃６１とセンター外刃６１とは、それぞれスリット刃、櫛刃および鋸刃などのいずれで構成してあってもよい。網刃でセンター外刃６１を構成することもできる。
【図面の簡単な説明】
【００５７】
【図１】本発明の実施例１に係るセンター刃の縦断正面図
【図２】電気かみそりの正面図
【図３】電気かみそりの側面図
【図４】電気かみそりのヘッド部の分解斜視図
【図５】ヘッド部の縦断正面図
【図６】ヘッド部の縦断側面図
【図７】センター刃の分解斜視図
【図８】一部を破断したセンター刃の分解正面図である。
【図９】図１のＡ−Ａ線断面図
【図１０】図９のＢ−Ｂ線断面図
【図１１】実施例２に係るセンター刃の一部を破断した縦断正面図
【図１２】実施例３に係るセンター刃の一部を破断した縦断正面図
【図１３】実施例４に係るセンター刃の一部を破断した縦断正面図
【図１４】図１３のＣ−Ｃ線断面図
【図１５】他の実施例に係るセンター刃の一部を破断した縦断正面図
【図１６】他の実施例のセンター刃の縦断側面図
【図１７】他の実施例のセンター刃の縦断側面図
【符号の説明】
【００５８】
１  本体部
２  ヘッド部
３  メイン刃
５  センター刃
６１  センター外刃
６２  センター内刃
６３  内刃ホルダー
６５  外刃補強枠
６６  側端ピース
７０  刃部分
７１  支持部分
７５  ピン
７６  係合部
１０７  係合孔
１０９  内刃押付ばね
１１０  ユニット押上ばね
１１９  連結爪
１２０  横溝
１２１  連結片
１２２  係合部
【図１】
2008000296.tif 000003
【図２】
2008000296.tif 000004
【図３】
2008000296.tif 000005
【図４】
2008000296.tif 000006
【図５】
2008000296.tif 000007
【図６】
2008000296.tif 000008
【図７】
2008000296.tif 000009
【図８】
2008000296.tif 000010
【図９】
2008000296.tif 000011
【図１０】
2008000296.tif 000012
【図１１】
2008000296.tif 000013
【図１２】
2008000296.tif 000014
【図１３】
2008000296.tif 000015
【図１４】
2008000296.tif 000016
【図１５】
2008000296.tif 000017
【図１６】
2008000296.tif 000018
【図１７】
2008000296.tif 000019